(57)【要約】【課題】ＩＰ電話網を含む電話網においても着信側の電話端末において発信者名を表示するサービスを行うことが可能な電話網における通信方法を提供する。【解決手段】電話網における通信方法は、発信側電話端末１０に接続されたサーバ３０が、発信者電話番号と、当該発信者電話番号の表示を許可しているか否かを示す表示許可信号と、着信者電話番号と、を着信側電話端末９０に接続されたサーバ６０へ送信するステップＳ５，Ｓ６と、サーバ６０が、発信者電話番号と、表示許可信号と、着信者電話番号と、を受信し、表示許可信号が発信者電話番号の表示を許可していることを示す場合に、アプリケーションサーバ４０から発信者電話番号に対応する発信者名を取得し、取得された発信者名を着信側電話端末９０へ送信するステップＳ７〜Ｓ９と、着信側電話端末９０が、発信者名を受信して表示するステップと、を含む。【選択図】図２
2011120013.tif 000002
【特許請求の範囲】
【請求項１】
電話端末と、当該電話端末と通信可能に接続された中継装置と、前記電話端末の電話番号及び発信者名が関連付けて記憶された第一の記憶部を有するサーバと、を備える電話網における通信方法であって、
発信側の前記電話端末と当該電話端末に接続された前記中継装置との間、及び、着信側の前記電話端末と当該電話端末に接続された前記中継装置との間、の少なくとも一方に、ＩＰ変換装置が設けられており、
発信側の前記電話端末が、発信者電話番号及び着信者電話番号を発信側の前記電話端末に接続された前記中継装置へ送信する第一ステップと、
発信側の前記電話端末に接続された前記中継装置が、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示を許可するか否かを示す表示許可信号を生成し、前記発信者電話番号と、前記表示許可信号と、着信者電話番号と、を着信側の前記電話端末に接続された前記中継装置へ送信する第二ステップと、
着信側の前記電話端末に接続された前記中継装置が、前記発信者電話番号と、前記表示許可信号と、前記着信者電話番号と、を受信し、前記表示許可信号が前記発信者電話番号の表示を許可していることを示す場合に、前記サーバから前記発信者電話番号に対応する前記発信者名を取得し、取得された前記発信者名を着信側の前記電話端末へ送信する第三ステップと、
着信側の前記電話端末が、前記発信者名を受信して表示する第四ステップと、
を含むことを特徴とする電話網における通信方法。
【請求項２】
着信側の前記電話端末に接続された前記中継装置は、当該中継装置に接続された前記電話端末の電話番号と、当該電話番号に対して前記発信者名を表示するサービスを行うか否かと、が関連付けて記憶された第三の記憶部を備えており、
前記第三ステップにおいて、
着信側の前記電話端末に接続された前記中継装置が、前記着信者電話番号に基づいて前記第三の記憶部を参照して前記発信者名を表示するサービスを行うか否かを判定し、サービスを行うと判定された場合に、前記サーバから前記発信者電話番号に対応する前記発信者名を取得し、取得された前記発信者名を着信側の前記電話端末へ送信する
ことを特徴とする請求項１に記載の電話網における通信方法。
【請求項３】
前記サーバが、着信側の前記電話端末に接続された前記中継装置から前記発信者電話番号の問い合わせを受けた回数をカウントするステップ
をさらに含むことを特徴とする請求項１又は請求項２に記載の電話網における通信方法。
【請求項４】
電話端末と、当該電話端末と通信可能に接続された中継装置と、前記電話端末の電話番号及び発信者名が関連付けて記憶された第一の記憶部を有するサーバと、を備える電話網における通信方法であって、
発信側の前記電話端末と当該電話端末に接続された前記中継装置との間、及び、着信側の前記電話端末と当該電話端末に接続された前記中継装置との間、の少なくとも一方に、ＩＰ変換装置が設けられており、
発信側の前記電話端末が、発信者電話番号及び着信者電話番号を発信側の前記電話端末に接続された前記中継装置へ送信する第一ステップと、
発信側の前記電話端末に接続された前記中継装置が、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示が許可されているか否かを判定し、前記発信者電話番号の表示が許可されている場合に、前記サーバから前記発信者電話番号に対応する前記発信者名を取得し、取得された前記発信者名と、着信者電話番号と、を着信側の前記電話端末に接続された前記中継装置へ送信する第二ステップと、
着信側の前記電話端末に接続された前記中継装置が、前記発信者名と、前記着信者電話番号と、を受信し、前記発信者名を着信側の前記電話端末へ送信する第三ステップと、
着信側の前記電話端末が、前記発信者名を受信して表示する第四ステップと、
を含むことを特徴とする電話網における通信方法。
【請求項５】
着信側の前記電話端末に接続された前記中継装置は、当該中継装置に接続された前記電話端末の電話番号と、当該電話番号に対して前記発信者名を表示するサービスを行うか否かと、が関連付けて記憶された第三の記憶部を備えており、
前記第三ステップにおいて、
着信側の前記電話端末に接続された前記中継装置が、前記着信者電話番号に基づいて前記第三の記憶部を参照して前記発信者電話番号及び前記発信者名を表示するサービスを行うか否かを判定し、サービスを行うと判定された場合に、前記発信者名を着信側の前記電話端末へ送信する
ことを特徴とする請求項４に記載の電話網における通信方法。
【請求項６】
電話端末と、当該電話端末と通信可能に接続された中継装置と、前記電話端末の電話番号及び発信者名が関連付けて記憶された第一の記憶部を有するサーバと、を備える電話網における通信システムであって、
発信側の前記電話端末と当該電話端末に接続された前記中継装置との間、及び、着信側の前記電話端末と当該電話端末に接続された前記中継装置との間、の少なくとも一方に、ＩＰ変換装置が設けられており、
発信側の前記電話端末は、発信者電話番号及び着信者電話番号を発信側の前記電話端末に接続された前記中継装置へ送信し、
発信側の前記電話端末に接続された前記中継装置は、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示を許可するか否かを示す表示許可信号を生成し、前記発信者電話番号と、前記表示許可信号と、着信者電話番号と、を着信側の前記電話端末に接続された前記中継装置へ送信し、
着信側の前記電話端末に接続された前記中継装置は、前記発信者電話番号と、前記表示許可信号と、前記着信者電話番号と、を受信し、前記表示許可信号が前記発信者電話番号の表示を許可していることを示す場合に、前記サーバから前記発信者電話番号に対応する前記発信者名を取得し、取得された前記発信者名を着信側の前記電話端末へ送信し、
着信側の前記電話端末は、前記発信者名を受信して表示する
ことを特徴とする電話網における通信システム。
【請求項７】
着信側の前記電話端末に接続された前記中継装置は、当該中継装置に接続された前記電話端末の電話番号と、当該電話番号に対して前記発信者名を表示するサービスを行うか否かと、が関連付けて記憶された第三の記憶部を備えており、
着信側の前記電話端末に接続された前記中継装置は、前記着信者電話番号に基づいて前記第三の記憶部を参照して前記発信者名を表示するサービスを行うか否かを判定し、サービスを行うと判定された場合に、前記サーバから前記発信者電話番号に対応する前記発信者名を取得し、取得された前記発信者名を着信側の前記電話端末へ送信する
ことを特徴とする請求項６に記載の電話網における通信システム。
【請求項８】
前記サーバは、着信側の前記電話端末に接続された前記中継装置からの前記発信者電話番号の問い合わせを受けた回数をカウントする
ことを特徴とする請求項６又は請求項７に記載の電話網における通信システム。
【請求項９】
電話端末と、当該電話端末と通信可能に接続された中継装置と、前記電話端末の電話番号及び発信者名が関連付けて記憶された第一の記憶部を有するサーバと、を備える電話網における通信システムであって、
発信側の前記電話端末と当該電話端末に接続された前記中継装置との間、及び、着信側の前記電話端末と当該電話端末に接続された前記中継装置との間、の少なくとも一方に、ＩＰ変換装置が設けられており、
発信側の前記電話端末は、発信者電話番号及び着信者電話番号を発信側の前記電話端末に接続された前記中継装置へ送信し、
発信側の前記電話端末に接続された前記中継装置は、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示が許可されているか否かを判定し、前記発信者電話番号の表示が許可されている場合に、前記サーバから前記発信者電話番号に対応する前記発信者名を取得し、取得された前記発信者名と、着信者電話番号と、を着信側の前記電話端末に接続された前記中継装置へ送信し、
着信側の前記電話端末に接続された前記中継装置が、前記発信者名と、前記着信者電話番号と、を受信し、前記発信者名を着信側の前記電話端末へ送信し、
着信側の前記電話端末は、前記発信者名を受信して表示する
ことを特徴とする電話網における通信システム。
【請求項１０】
着信側の前記電話端末に接続された前記中継装置は、当該中継装置に接続された前記電話端末の電話番号と、当該電話番号に対して前記発信者名を表示するサービスを行うか否かと、が関連付けて記憶された第三の記憶部を備えており、
着信側の前記電話端末に接続された前記中継装置は、前記着信者電話番号に基づいて前記第三の記憶部を参照して前記発信者電話番号及び前記発信者名を表示するサービスを行うか否かを判定し、サービスを行うと判定された場合に、前記発信者名を着信側の前記電話端末へ送信する
ことを特徴とする請求項９に記載の電話網における通信システム。
【発明の詳細な説明】
【技術分野】
【０００１】
本発明は、電話網における通信方法及び通信システムに関し、より詳細には、着信側の電話端末において発信者名を表示するサービスを行う電話網における通信方法及び通信システムに関する。
【背景技術】
【０００２】
従来、ＰＳＴＮ電話網では、着信側の電話端末において発信者名を表示するサービス、いわゆるネームディスプレイサービスが行われている。
【先行技術文献】
【非特許文献】
【０００３】
【非特許文献１】“ナンバー・ディスプレイ”、［on line］、ＮＴＴ東日本、［平成２１年１０月２６日検索］、インターネット＜ＵＲＬ：http://web116.jp/shop/benri/number/num_00.html＞
【発明の概要】
【発明が解決しようとする課題】
【０００４】
かかるネームディスプレイサービスは、ＰＳＴＮ電話網でのみ実現されていたが、ＩＰ電話網を含む電話網においても、同様のサービスが望まれている。
【０００５】
本発明は、前記した事情に鑑みて創案されたものであり、ＩＰ電話網を含む電話網においても着信側の電話端末において発信者名を表示するサービスを行うことが可能な電話網における通信方法及び通信システムを提供することを課題とする。
【課題を解決するための手段】
【０００６】
前記課題を解決するため、本発明は、電話端末と、当該電話端末と通信可能に接続された中継装置と、前記電話端末の電話番号及び発信者名が関連付けて記憶された第一の記憶部を有するサーバと、を備える電話網における通信方法であって、発信側の前記電話端末と当該電話端末に接続された前記中継装置との間、及び、着信側の前記電話端末と当該電話端末に接続された前記中継装置との間、の少なくとも一方に、ＩＰ変換装置が設けられており、発信側の前記電話端末が、発信者電話番号及び着信者電話番号を発信側の前記電話端末に接続された前記中継装置へ送信する第一ステップと、発信側の前記電話端末に接続された前記中継装置が、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示を許可するか否かを示す表示許可信号を生成し、前記発信者電話番号と、前記表示許可信号と、着信者電話番号と、を着信側の前記電話端末に接続された前記中継装置へ送信する第二ステップと、着信側の前記電話端末に接続された前記中継装置が、前記発信者電話番号と、前記表示許可信号と、前記着信者電話番号と、を受信し、前記表示許可信号が前記発信者電話番号の表示を許可していることを示す場合に、前記サーバから前記発信者電話番号に対応する前記発信者名を取得し、取得された前記発信者名を着信側の前記電話端末へ送信する第三ステップと、着信側の前記電話端末が、前記発信者名を受信して表示する第四ステップと、を含むことを特徴とする。
【０００７】
前記した電話網における通信方法は、着信側の前記電話端末に接続された前記中継装置が、当該中継装置に接続された前記電話端末の電話番号と、当該電話番号に対して前記発信者名を表示するサービスを行うか否かと、が関連付けて記憶された第三の記憶部を備えており、前記第三ステップにおいて、着信側の前記電話端末に接続された前記中継装置が、前記着信者電話番号に基づいて前記第三の記憶部を参照して前記発信者名を表示するサービスを行うか否かを判定し、サービスを行うと判定された場合に、前記サーバから前記発信者電話番号に対応する前記発信者名を取得し、取得された前記発信者名を着信側の前記電話端末へ送信する構成であってもよい。
【０００８】
また、前記した電話網における通信方法は、前記サーバが、着信側の前記電話端末に接続された前記中継装置から前記発信者電話番号の問い合わせを受けた回数をカウントするステップをさらに含む構成であってもよい。
【０００９】
また、本発明は、電話端末と、当該電話端末と通信可能に接続された中継装置と、前記電話端末の電話番号及び発信者名が関連付けて記憶された第一の記憶部を有するサーバと、を備える電話網における通信方法であって、発信側の前記電話端末と当該電話端末に接続された前記中継装置との間、及び、着信側の前記電話端末と当該電話端末に接続された前記中継装置との間、の少なくとも一方に、ＩＰ変換装置が設けられており、発信側の前記電話端末が、発信者電話番号及び着信者電話番号を発信側の前記電話端末に接続された前記中継装置へ送信する第一ステップと、発信側の前記電話端末に接続された前記中継装置が、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示が許可されているか否かを判定し、前記発信者電話番号の表示が許可されている場合に、前記サーバから前記発信者電話番号に対応する前記発信者名を取得し、取得された前記発信者名と、着信者電話番号と、を着信側の前記電話端末に接続された前記中継装置へ送信する第二ステップと、着信側の前記電話端末に接続された前記中継装置が、前記発信者名と、前記着信者電話番号と、を受信し、前記発信者名を着信側の前記電話端末へ送信する第三ステップと、着信側の前記電話端末が、前記発信者名を受信して表示する第四ステップと、を含むことを特徴とする。
【００１０】
前記した電話網における通信方法は、着信側の前記電話端末に接続された前記中継装置が、当該中継装置に接続された前記電話端末の電話番号と、当該電話番号に対して前記発信者名を表示するサービスを行うか否かと、が関連付けて記憶された第三の記憶部を備えており、前記第三ステップにおいて、着信側の前記電話端末に接続された前記中継装置が、前記着信者電話番号に基づいて前記第三の記憶部を参照して前記発信者電話番号及び前記発信者名を表示するサービスを行うか否かを判定し、サービスを行うと判定された場合に、前記発信者名を着信側の前記電話端末へ送信する構成であってもよい。
【００１１】
また、本発明は、電話端末と、当該電話端末と通信可能に接続された中継装置と、前記電話端末の電話番号及び発信者名が関連付けて記憶された第一の記憶部を有するサーバと、を備える電話網における通信システムであって、発信側の前記電話端末と当該電話端末に接続された前記中継装置との間、及び、着信側の前記電話端末と当該電話端末に接続された前記中継装置との間、の少なくとも一方に、ＩＰ変換装置が設けられており、発信側の前記電話端末は、発信者電話番号及び着信者電話番号を発信側の前記電話端末に接続された前記中継装置へ送信し、発信側の前記電話端末に接続された前記中継装置は、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示を許可するか否かを示す表示許可信号を生成し、前記発信者電話番号と、前記表示許可信号と、着信者電話番号と、を着信側の前記電話端末に接続された前記中継装置へ送信し、着信側の前記電話端末に接続された前記中継装置は、前記発信者電話番号と、前記表示許可信号と、前記着信者電話番号と、を受信し、前記表示許可信号が前記発信者電話番号の表示を許可していることを示す場合に、前記サーバから前記発信者電話番号に対応する前記発信者名を取得し、取得された前記発信者名を着信側の前記電話端末へ送信し、着信側の前記電話端末は、前記発信者名を受信して表示することを特徴とする。
【００１２】
着信側の前記電話端末に接続された前記中継装置は、当該中継装置に接続された前記電話端末の電話番号と、当該電話番号に対して前記発信者名を表示するサービスを行うか否かと、が関連付けて記憶された第三の記憶部を備えており、着信側の前記電話端末に接続された前記中継装置は、前記着信者電話番号に基づいて前記第三の記憶部を参照して前記発信者名を表示するサービスを行うか否かを判定し、サービスを行うと判定された場合に、前記サーバから前記発信者電話番号に対応する前記発信者名を取得し、取得された前記発信者名を着信側の前記電話端末へ送信する構成であってもよい。
【００１３】
前記サーバは、着信側の前記電話端末に接続された前記中継装置から前記発信者電話番号の問い合わせを受けた回数をカウントする構成であってもよい。
【００１４】
また、本発明は、電話端末と、当該電話端末と通信可能に接続された中継装置と、前記電話端末の電話番号及び発信者名が関連付けて記憶された第一の記憶部を有するサーバと、を備える電話網における通信システムであって、発信側の前記電話端末と当該電話端末に接続された前記中継装置との間、及び、着信側の前記電話端末と当該電話端末に接続された前記中継装置との間、の少なくとも一方に、ＩＰ変換装置が設けられており、発信側の前記電話端末は、発信者電話番号及び着信者電話番号を発信側の前記電話端末に接続された前記中継装置へ送信し、発信側の前記電話端末に接続された前記中継装置は、前記発信者電話番号及び前記着信者電話番号を受信し、当該中継装置に接続された前記電話端末の電話番号と、当該電話番号の表示を許可するか否かと、が関連付けられて記憶された第二の記憶部を前記発信者電話番号に基づいて参照することによって、又は、前記発信者電話番号及び着信者電話番号と共に送信された、前記発信者電話番号の表示を所望するか否かを示す信号に基づいて、当該発信者電話番号の表示が許可されているか否かを判定し、前記発信者電話番号の表示が許可されている場合に、前記サーバから前記発信者電話番号に対応する前記発信者名を取得し、取得された前記発信者名と、着信者電話番号と、を着信側の前記電話端末に接続された前記中継装置へ送信し、着信側の前記電話端末に接続された前記中継装置が、前記発信者名と、前記着信者電話番号と、を受信し、前記発信者名を着信側の前記電話端末へ送信し、着信側の前記電話端末は、前記発信者名を受信して表示することを特徴とする。
【００１５】
着信側の前記電話端末に接続された前記中継装置は、当該中継装置に接続された前記電話端末の電話番号と、当該電話番号に対して前記発信者名を表示するサービスを行うか否かと、が関連付けて記憶された第三の記憶部を備えており、着信側の前記電話端末に接続された前記中継装置は、前記着信者電話番号に基づいて前記第三の記憶部を参照して前記発信者電話番号及び前記発信者名を表示するサービスを行うか否かを判定し、サービスを行うと判定された場合に、前記発信者名を着信側の前記電話端末へ送信する構成であってもよい。
【発明の効果】
【００１６】
本発明によれば、ＩＰ電話網を含む電話網においても着信側の電話端末において発信者名を表示するサービスを行うことができる。
【図面の簡単な説明】
【００１７】
【図１】本発明の第一の実施形態に係る電話網における通信システムを模式的に示す図である。
【図２】本発明の第一の実施形態に係る電話網における通信方法を説明するための図である。
【図３】本発明の第二の実施形態に係る電話網における通信システムを模式的に示す図である。
【図４】本発明の第二の実施形態に係る電話網における通信方法を説明するための図である。
【図５】本発明の第三の実施形態に係る電話網における通信システムを模式的に示す図である。
【図６】本発明の第三の実施形態に係る電話網における通信方法を説明するための図である。
【図７】本発明の第四の実施形態に係る電話網における通信方法を説明するための図である。
【発明を実施するための形態】
【００１８】
以下、本発明の実施形態について、適宜図面を参照しながら説明する。同様の部分には同一符号を付し、重複する説明を省略する。
【００１９】
＜第一の実施形態＞
まず、本発明の第一の実施形態に係る電話網における通信システムについて、図１を参照して説明する。図１は、本発明の第一の実施形態に係る電話網における通信システムを模式的に示す図である。
【００２０】
＜電話網の構成＞
図１に示すように、本発明の第一の実施形態に係る電話網における通信システム１Ａは、発信側電話端末１０と、発信側電話端末１０に通信可能に接続されたＩＰ変換装置２０と、ＩＰ変換装置２０に通信可能に接続されたサーバ３０と、サーバ３０に通信可能に接続されたアプリケーションサーバ４０と、サーバ３０に通信可能に接続されたサーバ５０と、サーバ５０に通信可能に接続されたサーバ６０と、サーバ６０に通信可能に接続されたアプリケーションサーバ７０と、サーバ６０に通信可能に接続されたＩＰ変換装置８０と、ＩＰ変換装置に通信可能に接続された着信側電話端末９０と、を備える。本実施形態において、発信側電話端末１０、ＩＰ変換装置２０、サーバ３０及びアプリケーションサーバ４０は、ＩＰ電話網２Ａに設けられており、サーバ６０、アプリケーションサーバ７０、ＩＰ変換装置８０及び着信側電話端末９０は、ＩＰ電話網３Ａに設けられており、ＩＰ電話網２Ａの事業者とＩＰ電話網２Ｂの事業者とは異なるものとする。
【００２１】
≪電話端末≫
発信側電話端末１０及び着信側電話端末９０は、住宅等に設置される据置型の電話機等であり、着呼音等を発するためのスピーカ、受話器が架けられるフック、及び電話番号等を入力するためのボタンを有する本体部と、通話用のマイク及びスピーカを有する受話器と、を備える。ユーザが発信側電話端末１０の受話器をフックから上げると、発信側電話端末１０は、オフフック信号をＩＰ変換装置２０へ送信する。また、ユーザが発信側電話端末１０の受話器をフック上に置くと、発信側電話端末１０が、オンフック信号をＩＰ変換装置２０へ送信する。
【００２２】
≪ＩＰ変換装置≫
ＩＰ変換装置２０，８０は、アナログ端末又はＩＳＤＮ端末である各電話端末１０，９０から送信された音声信号等をＩＰパケット化し、ＩＰパケット化済み信号を通話先の電話端末に接続されたＩＰ変換装置へ送信したり、通話先の電話端末に接続されたＩＰ変換装置から送信されたＩＰパケット化済み信号を受信し、受信されたＩＰパケット化済み信号を復号して各電話端末１０，９０へ送信したりする装置である。
【００２３】
≪サーバ≫
サーバ３０，６０は、各電話端末１０，９０にＩＰ変換装置２０，８０を介して接続されたサーバであり、プロキシ動作によって電話端末間のＳＩＰ（Session Initiation Protocol）セッションを確立して電話端末間を接続するＳＩＰプロキシサーバ等のＩＰ電話サーバである。各サーバ３０，６０は、例えば、ＣＰＵ、ＲＡＭ、ＲＯＭおよび入出力回路を備えて構成されており、ＳＩＰ信号を通話先の電話端末に接続されたＩＰ変換装置へ送信したり、通話先の電話端末に接続されたＩＰ変換装置から送信されたＳＩＰ信号を受信し、各電話端末１０，９０に接続されたＩＰ変換装置２０，８０へ転送したりする。なお、図１においては、サーバ３０，６０には一組の電話端末及びＩＰ変換装置のみが接続されているが、実際には、サーバ３０，６０は、複数組の電話端末及びＩＰ変換装置を収容しており、予め記憶されたＩＰアドレス等を用いて、一対の電話端末間に通話可能なＳＩＰセッションを確立する。例えば、ＩＰ変換装置２０、サーバ３０、サーバ５０、サーバ６０及びＩＰ変換装置８０の間にＳＩＰセッションが確立された状態において、ＩＰ変換装置２０，８０の間でＩＰパケット化された音声信号を送受信することによって、電話端末１０，９０の間での通話が行われる。
【００２４】
サーバ３０は、発信側電話端末１０の発信者電話番号と、発信者電話番号の表示を許可するか否かと、が関連付けて記憶された第二の記憶部３１を備えており、かかる記憶内容に基づいて、発信者電話番号の表示を許可するか否かを示す表示許可信号を生成する。
【００２５】
また、第二の記憶部３１には、着信者電話番号に先立ってボタン操作によって入力された（又はダイヤル操作によって入力された）番号と、当該番号が発信者電話番号の表示を所望するものであるか否か（例えば、１８４は、発信者電話番号の非表示を所望する番号であり、１８６は、発信者電話番号の表示を所望する番号である）と、が関連付けて記憶されている。また、発信側電話端末１０が送信する発呼信号に、発信者電話番号及び着信者電話番号に加えて、発信者電話番号の表示を所望するか否かを示す信号が含まれる場合（例えば、発信者が着信者電話番号に先立って１８４（非通知）又は１８６（通知）を入力した場合）には、サーバ３０は、ＩＰ変換装置２０を介して発呼信号を受信し、発信者電話番号の表示を所望するか否かを示す信号に基づいて、表示許可信号を生成する。
【００２６】
サーバ６０は、着信側電話端末９０の着信者電話番号と、着信側電話端末９０に対して発信者電話番号及び発信者名を表示するサービスを行うか否かと、が関連付けて記憶された第三の記憶部６１を備えており、かかる記憶内容に基づいて、発信者電話番号及び発信者名を表示するサービスを行うか否かを判定することができる。
【００２７】
また、サーバ６０は、以下に示す基準に基づいて、発信者電話番号及び発信者名を表示するサービスを行うか否かを判定することもできる。
（ａ）発信側電話端末１０が所属する電話網の種類に基づいて、サービスを行うか否かを判断する。例えば、発信電話端末１０が海外の電話網に所属している場合には、発信者電話番号及び発信者名を表示するサービスを行わないようにすることができる。
（ｂ）発信側電話端末１０が他のサービスを行うべきものである場合（例えば、遠隔検針センタ、警察署等に設置された特定電話端末の場合）には、発信者電話番号及び発信者名を表示するサービスを行わないようにすることができる。
（ｃ）着信側電話端末が代表電話を組んでいる場合には、接続される子番号は確率的に変動して決定されるが、接続される子番号ごとにサービスを行うか否かを判定する。
（ｄ）着信側電話端末が話中の場合には、サービスを行わない。
【００２８】
サーバ５０は、例えば、ＣＰＵ、ＲＡＭ、ＲＯＭおよび入出力回路を備えて構成されており、サーバ３０，６０の間に設けられた中継サーバである。
【００２９】
アプリケーションサーバ４０，７０は、例えば、ＣＰＵ、ＲＡＭ、ＲＯＭおよび入出力回路を備えて構成されており、各サーバ３０，６０に接続され、各サーバ３０，６０へ各種アプリケーションを提供するサーバである。アプリケーションサーバ４０は、発信側電話端末１０が収容されたＩＰ電話網２Ａに設けられたサーバであり、アプリケーションサーバ７０は、着信側電話端末９０が収容されたＩＰ電話網３Ａに設けられたサーバである。また、アプリケーションサーバ４０は、発信側電話端末１０の発信者電話番号と発信者名とが関連付けて記憶された第一の記憶部４１を備える。なお、発信者名としては、個人名、会社名等が挙げられる。
【００３０】
＜電話網の動作例＞
続いて、本発明の第一の実施形態に係る電話網における通信方法について、図２を参照して説明する。図２は、本発明の第一の実施形態に係る電話網における通信方法を説明するための図である。
【００３１】
図２に示すように、まず、発信側電話端末１０のユーザが受話器を上げると、発信側電話端末１０は、オフフック信号をＩＰ変換装置２０へ送信する（ステップＳ１）。オフフック信号を受信すると、ＩＰ変換装置２０は、ＤＴ信号を発信側電話端末１０へ送信する（ステップＳ２）。続いて、発信側電話端末１０のユーザがボタンを操作して着信側電話端末９０の電話番号（着信者電話番号）を入力すると、発信側電話端末１０は、発信側電話端末１０の電話番号（発信者電話番号）及び着信者電話番号を含む発呼信号をＩＰ変換装置２０へ送信する（ステップＳ３）。
【００３２】
発呼信号を受信すると、ＩＰ変換装置２０は、発信者電話番号及び着信者電話番号を含むＩＮＶＩＴＥ信号を生成してサーバ３０へ送信する（ステップＳ４）。ＩＮＶＩＴＥ信号を受信すると、サーバ３０は、発信者電話番号と、当該発信者電話番号の表示を許可しているか否かを示す表示許可信号と、着信者電話番号と、を含むＩＮＶＩＴＥ信号を生成してサーバ５０へ送信する（ステップＳ５）。表示許可信号の生成には、前記した第二の記憶部３１又は発呼信号に含まれる信号が用いられる。ＩＮＶＩＴＥ信号を受信すると、サーバ５０は、ＩＮＶＩＴＥ信号をサーバ６０へ送信する（ステップＳ６）。
【００３３】
ＩＮＶＩＴＥ信号を受信すると、サーバ６０は、ＩＮＶＩＴＥ信号に含まれる着信者電話番号と、予め記憶された記憶内容と、に基づいて、発信者電話番号及び発信者名を表示するサービスを行うか否かを判定する。サービスを行うと判定された場合には、サーバ６０は、表示許可信号が発信者電話番号の表示を許可していることを示す場合に、発信者電話番号を含む問い合わせ信号を生成してアプリケーションサーバ４０へ送信する（ステップＳ７）。問い合わせ信号を受信すると、アプリケーションサーバ４０は、問い合わせ番号に含まれる発信者電話番号に対応する発信者名を検索し、検索された発信者名をサーバ６０へ送信する（ステップＳ８）。発信者名を受信すると、サーバ６０は、発信者電話番号及び発信者名を含むＩＮＶＩＴＥ信号を生成してＩＰ変換装置８０へ送信する（ステップＳ９）。
【００３４】
なお、アプリケーションサーバ４０は、問い合わせ信号によって発信者電話番号の問い合わせを受けた回数をカウントする構成であってもよい。かかる構成によると、発信側電話端末１０が収容されたＩＰ電話網２Ａの事業者と着信側電話端末９０が収容されたＩＰ電話網３Ａの事業者とが異なる場合において、アプリケーションサーバ４０は、カウント数に応じた他事業者への課金及び請求を行うことができる。
【００３５】
ＩＮＶＩＴＥ信号を受信すると、ＩＰ変換装置８０は、発信者電話番号及び発信者名を含む着呼信号を着信側電話端末９０へ送信する（ステップＳ１０）。着呼信号を受信すると、着信側電話端末９０は、着呼信号に含まれる発信者電話番号及び発信者名を表示する。その後、着信側電話端末９０のユーザがその受話器が取ると、発信側電話端末１０及び着信側電話端末９０の間で通話が可能となるが、その際の電話網における通信システム１Ａの動作は公知であるので、説明を省略する。着信側電話端末９０における表示例を以下に示す。
発信者電話番号  ０４３−２２１−ＸＸＸＸ  発信者名  幕張  太郎
【００３６】
ステップＳ７における発信者名の問い合わせ、及び、ステップＳ８における発信者名の通知に関しては、以下に示す三つの手法が好適に用いられる。
【００３７】
（１）ＳＩＰルーティング方式
ステップＳ７において、サーバ６０は、問い合わせ信号として、ＩＮＶＩＴＥ信号を拡張したＩＮＶＩＴＥ１信号をアプリケーションサーバ４０へ送信する。ステップＳ８において、アプリケーションサーバ４０は、発信者名を通知する信号として、ＩＮＶＩＴＥ信号を拡張したＩＮＶＩＴＥ２信号をサーバ６０へ送信する。
【００３８】
（２）ＭＥＳＳＡＧＥ方式
ステップＳ７において、サーバ６０は、問い合わせ信号として、ＳＩＰメッセージリクエストをアプリケーションサーバ４０へ送信する。ステップＳ８において、アプリケーションサーバ４０は、ＳＩＰメッセージリクエストに対する応答信号である２００ＯＫにおいて発信者名をサーバ６０へ送信する。
【００３９】
（３）リダイレクション方式
ステップＳ７において、サーバ６０は、問い合わせ信号として、リダイレクションとしてのＩＮＶＩＴＥ信号をアプリケーションサーバ４０へ送信する。ステップＳ８において、アプリケーションサーバ４０は、リダイレクションとしてのＩＮＶＩＴＥ信号に対する応答信号である３０Ｘにおいて発信者名をサーバ６０へ送信する。
【００４０】
また、ステップＳ７における発信者名の問い合わせ、及び、ステップＳ８における発信者名の通知に関しては、アプリケーションサーバ７０を介して行われる構成であってもよい。すなわち、サーバ６０は、問い合わせ信号をアプリケーションサーバ７０へ送信し、問い合わせ信号を受信したアプリケーションサーバ７０は、問い合わせ信号に含まれる発信者電話番号に基づいてアプリケーションサーバ４０を特定し、問い合わせ信号を特定されたアプリケーションサーバ４０へ送信する。一方、アプリケーションサーバ４０は、発信者名をアプリケーションサーバ７０へ送信し、発信者名を受信したアプリケーションサーバ７０は、発信者名をサーバ６０へ送信する。
【００４１】
第一の実施形態に係る電話網における通信システム１Ａ及び通信方法によれば、発信側及び着信側の両方がＩＰ電話網である場合であっても、着信側電話端末９０において発信者名を表示することができる。
【００４２】
＜第二の実施形態＞
続いて、本発明の第二の実施形態に係る電話網における通信システムについて、第一の実施形態に係る電話網における通信システム１Ａとの相違点を中心に、図３を参照して説明する。図３は、本発明の第二の実施形態に係る電話網における通信システムを模式的に示す図である。
【００４３】
＜電話網の構成＞
図３に示すように、本発明の第二の実施形態に係る電話網における通信システム１Ｂは、サーバ５０、サーバ６０、アプリケーションサーバ７０及びＩＰ変換装置８０に代えて、ＰＳＴＮ関門ノード（ＰＳＴＮ−ＧＷ：Public Switched Telephone Network - GateWay）１００、関門交換局（ＩＧＳ：Interconnecting Gateway Switch）１１０、群局（ＧＣ：Group unit Center）１２０及びサービス制御局（ＳＣＰ：Service Control Point）１３０を備える。本実施形態において、ＩＧＳ１１０、ＧＣ１２０、ＳＣＰ１３０及び着信側電話端末９０は、ＰＳＴＮ電話網３Ｂに設けられている。すなわち、本発明の第二の実施形態に係る電話網における通信システム１Ｂは、ＩＰ電話網３Ａに代えて、ＰＳＴＮ電話網３Ｂを備える。ＰＳＴＮ−ＧＷ１００は、サーバ３０から送信されたＩＰ方式の信号にプロトコル変換を施して共通線信号方式の信号を生成し、生成された信号をＩＧＳ１１０へ送信する。
【００４４】
ＧＣ１２０は、着信側電話端末９０の着信者電話番号と、着信側電話端末９０に対して発信者電話番号及び発信者名を表示するサービスを行うか否かと、が関連付けて記憶された第二の記憶部１２１を備えており、かかる記憶内容に基づいて、発信者電話番号及び発信者名を表示するサービスを行うか否かを判定することができる。
【００４５】
＜電話網の動作例＞
続いて、本発明の第二の実施形態に係る電話網における通信方法について、図４を参照して説明する。図４は、本発明の第二の実施形態に係る電話網における通信方法を説明するための図である。
【００４６】
図４に示すように、まず、発信側電話端末１０のユーザが受話器を上げると、発信側電話端末１０は、オフフック信号をＩＰ変換装置２０へ送信する（ステップＳ２１）。オフフック信号を受信すると、ＩＰ変換装置２０は、ＤＴ信号を発信側電話端末１０へ送信する（ステップＳ２２）。続いて、発信側電話端末１０のユーザがボタンを操作して着信側電話端末９０の電話番号（着信者電話番号）を入力すると、発信側電話端末１０は、発信側電話端末１０の電話番号（発信者電話番号）及び着信者電話番号を含む発呼信号をＩＰ変換装置２０へ送信する（ステップＳ２３）。
【００４７】
発呼信号を受信すると、ＩＰ変換装置２０は、発信者電話番号及び着信者電話番号を含むＩＮＶＩＴＥ信号を生成してサーバ３０へ送信する（ステップＳ２４）。ＩＮＶＩＴＥ信号を受信すると、サーバ３０は、発信者電話番号と、当該発信者電話番号の表示を許可しているか否かを示す表示許可信号と、着信者電話番号と、を含むＩＮＶＩＴＥ信号を生成してＰＳＴＮ−ＧＷ１００へ送信する（ステップＳ２５）。ＩＮＶＩＴＥ信号を受信すると、ＰＳＴＮ−ＧＷ１００は、ＩＮＶＩＴＥ信号にプロトコル変換を施してＩＡＭ信号を生成してＩＧＳ１１０へ送信する（ステップＳ２６）。
【００４８】
ＩＡＭ信号を受信すると、ＩＧＳ１１０は、ＩＡＭ信号をＧＣ１２０へ送信する（ステップＳ２７）。ＩＡＭ信号を受信すると、ＧＣ１２０は、ＩＡＭ信号に含まれる着信者電話番号と、予め記憶された記憶内容と、に基づいて、発信者電話番号及び発信者名を表示するサービスを行うか否かを判定する。サービスを行うと判定された場合には、ＧＣ１２０は、表示許可信号が発信者電話番号の表示を許可していることを示す場合に、発信者電話番号を含む問い合わせ信号を生成してアプリケーションサーバ４０へ送信する（ステップＳ２８）。問い合わせ信号を受信すると、アプリケーションサーバ４０は、問い合わせ番号に含まれる発信者電話番号に対応する発信者名を検索し、検索された発信者名をＧＣ１２０へ送信する（ステップＳ２９）。なお、アプリケーションサーバ４０は、問い合わせ信号によって発信者電話番号の問い合わせを受けた回数をカウントする構成であってもよい。かかる構成によると、発信側電話端末１０が収容されたＩＰ電話網２Ａの事業者と着信側電話端末９０が収容されたＰＳＴＮ電話網３Ｂの事業者とが異なる場合において、アプリケーションサーバ４０は、カウント数に応じた他事業者への課金及び請求を行うことができる。
【００４９】
発信者名を受信すると、ＧＣ１２０は、発信者電話番号及び発信者名を含む着呼信号を生成して着信側電話端末９０へ送信する（ステップＳ３０）。着呼信号を受信すると、着信側電話端末９０は、着呼信号に含まれる発信者電話番号及び発信者名を表示する。
【００５０】
第二の実施形態に係る電話網における通信システム１Ｂ及び通信方法によれば、発信側がＩＰ電話網であって着信側がＰＳＴＮ電話網である場合であっても、着信側電話端末９０において発信者名を表示することができる。
【００５１】
＜第三の実施形態＞
まず、本発明の第三の実施形態に係る電話網における通信システムについて、第一の実施形態に係る電話網における通信システム１Ａとの相違点を中心に、図５を参照して説明する。図５は、本発明の第三の実施形態に係る電話網を模式的に示す図である。
【００５２】
＜電話網の構成＞
図５に示すように、本発明の第三の実施形態に係る電話網における通信システム１Ｃは、ＩＰ変換装置２０、サーバ３０及びサーバ５０に代えて、ＧＣ１４０、ＳＣＰ１５０、ＩＧＳ１６０及びＰＳＴＮ−ＧＷ１７０を備える。本実施形態において、発信側電話端末１０、ＧＣ１４０、ＳＣＰ１５０及びＩＧＳ１６０は、ＰＳＴＮ電話網２Ｃに設けられている。すなわち、本発明の第二の実施形態に係る電話網における通信システム１Ｂは、ＩＰ電話網２Ａに代えて、ＰＳＴＮ電話網２Ｃを備える。
【００５３】
ＧＣ１４０は、発信側電話端末１０の発信者電話番号と、発信者電話番号の表示を許可するか否かと、が関連付けて記憶された第二の記憶部１４１を備えており、かかる記憶内容に基づいて、発信者電話番号の表示を許可しているか否かを示す表示許可信号を生成する。
【００５４】
ＳＣＰ１５０は、発信側電話端末１０の発信者電話番号と発信者名とが関連付けて記憶された第一の記憶部１５１を備える。
【００５５】
＜電話網の動作例＞
続いて、本発明の第三の実施形態に係る電話網における通信方法について、図６を参照して説明する。図６は、本発明の第三の実施形態に係る電話網における通信方法を説明するための図である。
【００５６】
図６に示すように、まず、発信側電話端末１０のユーザが受話器を上げると、発信側電話端末１０は、オフフック信号をＧＣ１４０へ送信する（ステップＳ４１）。オフフック信号を受信すると、ＧＣ１４０は、ＤＴ信号を発信側電話端末１０へ送信する（ステップＳ４２）。続いて、発信側電話端末１０のユーザがボタンを操作して着信側電話端末９０の電話番号（着信者電話番号）を入力すると、発信側電話端末１０は、発信側電話端末１０の電話番号（発信者電話番号）及び着信者電話番号を含む発呼信号をＧＣ１４０へ送信する（ステップＳ４３）。
【００５７】
発呼信号を受信すると、ＧＣ１４０は、発信者電話番号と、当該発信者電話番号の表示を許可しているか否かを示す表示許可信号と、着信者電話番号と、を含むＩＡＭ信号を生成してＩＧＳ１６０へ送信する（ステップＳ４４）。ＩＡＭ信号を受信すると、ＩＧＳ１６０は、ＩＡＭ信号をＰＳＴＮ−ＧＷ１７０へ送信する（ステップＳ４５）。ＩＡＭ信号を受信すると、ＰＳＴＮ−ＧＷ１７０は、ＩＡＭ信号にプロトコル変換を施してＩＮＶＩＴＥ信号を生成してサーバ６０へ送信し（ステップＳ４６）、ＩＡＭ信号に対する応答信号であるＡＣＭ信号をＩＧＳ１６０へ送信する（ステップＳ４７）。ＡＣＭ信号を受信すると、ＩＧＳ１６０は、ＡＣＭ信号をＧＣ１４０へ送信する（ステップＳ４８）。
【００５８】
ＩＮＶＩＴＥ信号を受信すると、サーバ６０は、ＩＮＶＩＴＥ信号に含まれる着信者電話番号と、予め記憶された記憶内容と、に基づいて、発信者電話番号及び発信者名を表示するサービスを行うか否かを判定する。サービスを行うと判定された場合には、サーバ６０は、表示許可信号が発信者電話番号の表示を許可していることを示す場合に、発信者電話番号を含む問い合わせ信号を生成してＳＣＰ１５０へ送信する（ステップＳ４９）。問い合わせ信号を受信すると、ＳＣＰ１５０は、問い合わせ番号に含まれる発信者電話番号に対応する発信者名を検索し、検索された発信者名をサーバ６０へ送信する（ステップＳ５０）。発信者名を受信すると、サーバ６０は、発信者電話番号及び発信者名を含むＩＮＶＩＴＥ信号を生成してＩＰ変換装置８０へ送信する（ステップＳ５１）。なお、ＳＣＰ１５０は、問い合わせ信号によって発信者電話番号の問い合わせを受けた回数をカウントする構成であってもよい。かかる構成によると、発信側電話端末１０が収容されたＰＳＴＮ電話網２Ｃの事業者と着信側電話端末９０が収容されたＩＰ電話網３Ａの事業者とが異なる場合において、ＳＣＰ１５０は、カウント数に応じた他事業者への課金及び請求を行うことができる。
【００５９】
ＩＮＶＩＴＥ信号を受信すると、ＩＰ変換装置８０は、発信者電話番号及び発信者名を含む着呼信号を着信側電話端末９０へ送信する（ステップＳ５２）。着呼信号を受信すると、着信側電話端末９０は、着呼信号に含まれる発信者電話番号及び発信者名を表示する。
【００６０】
また、ステップＳ４９における発信者名の問い合わせ、及び、ステップＳ５０における発信者名の通知に関しては、アプリケーションサーバ７０を介して行われる構成であってもよい。すなわち、サーバ６０は、問い合わせ信号をアプリケーションサーバ７０へ送信し、問い合わせ信号を受信したアプリケーションサーバ７０は、問い合わせ信号に含まれる発信者電話番号に基づいてＳＣＰ１５０を特定し、問い合わせ信号を特定されたＳＣＰ１５０へ送信する。一方、ＳＣＰ１５０は、発信者名をアプリケーションサーバ７０へ送信し、発信者名を受信したアプリケーションサーバ７０は、発信者名をサーバ６０へ送信する。
【００６１】
第三の実施形態に係る電話網における通信システム１Ｃ及び通信方法によれば、発信側がＰＳＴＮ電話網であって着信側がＩＰ電話網である場合であっても、着信側電話端末９０において発信者名を表示することができる。
【００６２】
＜第四の実施形態＞
続いて、本発明の第四の実施形態に係る電話網における通信方法について、図７を参照して説明する。図７は、本発明の第四の実施形態に係る電話網における通信方法を説明するための図である。なお、第四の実施形態に係る通信方法は、第一の実施形態に係る電話網における通信システム１Ａにおいて実行される。
【００６３】
図７に示すように、まず、発信側電話端末１０のユーザが受話器を上げると、発信側電話端末１０は、オフフック信号をＩＰ変換装置２０へ送信する（ステップＳ６１）。オフフック信号を受信すると、ＩＰ変換装置２０は、ＤＴ信号を発信側電話端末１０へ送信する（ステップＳ６２）。続いて、発信側電話端末１０のユーザがボタンを操作して着信側電話端末９０の電話番号（着信者電話番号）を入力すると、発信側電話端末１０は、発信側電話端末１０の電話番号（発信者電話番号）及び着信者電話番号を含む発呼信号をＩＰ変換装置２０へ送信する（ステップＳ６３）。
【００６４】
発呼信号を受信すると、ＩＰ変換装置２０は、発信者電話番号及び着信者電話番号を含むＩＮＶＩＴＥ信号を生成してサーバ３０へ送信する（ステップＳ６４）。ＩＮＶＩＴＥ信号を受信すると、サーバ３０は、発信者電話番号の表示が許可されている場合に、発信者電話番号を含む問い合わせ信号を生成してアプリケーションサーバ４０へ送信する（ステップＳ６５）。問い合わせ信号を受信すると、アプリケーションサーバ４０は、問い合わせ番号に含まれる発信者電話番号に対応する発信者名を検索し、検索された発信者名をサーバ３０へ送信する（ステップＳ６６）。発信者名を受信すると、サーバ３０は、発信者電話番号と、当該発信者電話番号の表示を許可しているか否かを示す表示許可信号と、着信者電話番号と、発信者名と、を含むＩＮＶＩＴＥ信号を生成してサーバ５０へ送信する（ステップＳ６７）。ＩＮＶＩＴＥ信号を受信すると、サーバ５０は、ＩＮＶＩＴＥ信号をサーバ６０へ送信する（ステップＳ６８）。
【００６５】
ＩＮＶＩＴＥ信号を受信すると、サーバ６０は、ＩＮＶＩＴＥ信号に含まれる着信者電話番号と、予め記憶された記憶内容と、に基づいて、発信者電話番号及び発信者名を表示するサービスを行うか否かを判定する。サービスを行うと判定された場合には、サーバ６０は、表示許可信号が発信者電話番号の表示を許可していることを示す場合に、発信者電話番号及び発信者名を含むＩＮＶＩＴＥ信号を生成してＩＰ変換装置８０へ送信する（ステップＳ６９）。
【００６６】
ＩＮＶＩＴＥ信号を受信すると、ＩＰ変換装置８０は、発信者電話番号及び発信者名を含む着呼信号を着信側電話端末９０へ送信する（ステップＳ７０）。着呼信号を受信すると、着信側電話端末９０は、着呼信号に含まれる発信者電話番号及び発信者名を表示する。
【００６７】
第四の実施形態に係る電話網における通信方法によれば、発信側及び着信側の両方がＩＰ電話網である場合であっても、着信側電話端末９０において発信者名を表示することができる。
【００６８】
以上、本発明の実施形態について説明したが、本発明は前記実施形態に限定されず、本発明の要旨を逸脱しない範囲で適宜設計変更可能である。例えば、中継サーバであるサーバ５０の数は一つの限定されない。また、本発明は、発信側電話端末と着信側電話端末とが同一のサーバに収容されている場合にも適用可能である。また、発信側電話端末１０とＩＰ変換装置２０とは一体的に設けられていてもよく、着信側電話端末９０とＩＰ変換装置８０とも一体的に設けられていてもよい。同様に、サーバ３０とアプリケーションサーバ４０とは一体的に設けられていてもよく、サーバ６０とアプリケーションサーバ７０とも一体的に設けられていてもよく、ＧＣ１２０とＳＣＰ１３０とも一体的に設けられていてもよく、ＧＣ１４０とＳＣＰ１５０とも一体的に設けられていてもよい。また、第四の実施形態に係る電話網における通信方法は、第二、第三の実施形態に係る電話網における通信システム１Ｂ，１Ｃにおいても実行可能である。この場合において、第二の実施形態に係る通信システム１ＢのＧＣ１２０は、サーバ６０と同様の動作を実行し、第三の実施形態に係る通信システム１ＣのＧＣ１４０及びＳＣＰ１５０は、それぞれサーバ３０及びアプリケーションサーバ４０と同様の動作を実行する。
【符号の説明】
【００６９】
１Ａ，１Ｂ，１Ｃ  電話網における通信システム
１０    発信側電話端末
２０，８０  ＩＰ変換装置
３０，６０  サーバ（中継装置）
４０    アプリケーションサーバ（サーバ）
１２０，１４０  ＧＣ（中継装置）
１３０  ＳＣＰ（サーバ）
９０    着信側電話端末
【図１】
2011120013.tif 000003
【図２】
2011120013.tif 000004
【図３】
2011120013.tif 000005
【図４】
2011120013.tif 000006
【図５】
2011120013.tif 000007
【図６】
2011120013.tif 000008
【図７】
2011120013.tif 000009